(57)【特許請求の範囲】
【請求項１】
天井カセット型空気調和機の本体の下面に取付けられ、天井面開口部を覆う化粧パネルであって、前記化粧パネルの吹出し口の吹出し通路壁面が、吹出し口の下方に向ってある曲率をなす曲面部と、この曲面部に続く平面部とから形成され、また、パネル表面が、前記平面部の端部から天井面の上方に向ってある曲率をなす曲面部と、この曲面部に続く前記化粧パネルの外縁部にかけての平面部から形成されたことを特徴とした天井カセット型空気調和機の化粧パネル。
【請求項２】
天井カセット型空気調和機の本体の下面に取付けられ、天井面開口部を覆う化粧パネルであって、前記化粧パネルの吹出し口の吹出し通路壁面が、吹出し口の下方に向ってある曲率をなす曲面部と、前記曲面部に続く平面部とから形成され、また、パネル表面が、前記平面部の端部から天井面と水平をなす水平部と、前記水平部に続く天井面の上方に向ってある曲率をなす曲面部と、前記曲面部に続く前記化粧パネルの外縁部にかけての平面部により形成されたことを特徴とした天井カセット型空気調和機の化粧パネル。
【発明の詳細な説明】
【０００１】
【発明の属する技術分野】
この発明は、天井カセット型空気調和機の化粧パネルの吹出し口周辺構造に関し、特に冷房運転時の吹出し口周辺への結露及び露付き防止に関するものである。
【０００２】
【従来の技術】
図７は、化粧パネルが取り付けられる例えば４方向吹出し天井カセツト型空気調和機の室内機の構成を示す縦断面図である。
図７において、１は室内機本体であり、この室内機本体１の下面には、化粧パネル１１が天井面１０の開口部（図示せず）を覆うように取付けられている。
前記化粧パネル１１は、その中央部に吸込み口１３及びフィルター１６を有し、その吸込み口１３の周囲に４方向に位置して吹出し口１２が設けられている。１５は吹出し通路、１４は風向ベーンである。
前記室内機本体１は、室内熱交換器２、ドレンパン３、ファン４及びファンモータ５などにより構成され、吊り金具（図示せず）などにより固定されている。
【０００３】
上記の構成において、前記室内機本体１のファンモータ５が駆動し、ファン４が回転することにより、前記化粧パネル１１の吸込み口１３からフィルター１６を通して室内空気が吸い込まれる。吸い込まれた室内空気は、図示しない冷凍サイクルを構成する前記室内熱交換器２にて熱交換され、例えば冷房運転であれば冷やされた空気が吹出し気流として、前記吹出し通路１５を通り前記吹出し口１２より室内に吹出される。このとき、吹出し気流の風向は、風向ベーン１４によって制御される。
【０００４】
図８は、上記図７の化粧パネル１１の吹出し口１２周辺部の要部拡大縦断面図である。尚、図８において、上記図７の室内機構成縦断面図と同一または相当部分には同一符号を付し説明を省略する。
図８において、前記化粧パネル１１の吹出し口１２内の吹出し通路１５の外側壁面が、吹出し口１２の下方に向ってある曲率をなす曲面部１６と、前記曲面部１６に続く天井面と垂直をなす垂直部１７とから形成され、また、パネル表面が前記垂直部１７の下端から前記化粧パネル１１の外縁部にかけての曲面部により形成されている。
【０００５】
上記において、前記風向ベーン１４の例えば水平吹出し角度設定により、該設定吹出し方向に前記吹出し通路１５を吹出し気流７が流れる。その際、前記吹出し通路１５の壁面が、前記曲面部１６とその曲面部１６に続く垂直部１７で形成されており、前記曲面部１６に沿って流れる吹出し気流７が、前記垂直部１７に衝突し、下向きに気流方向を変えて吹出し口１２より室内空間へ吹出される。このような吹出し通路１５の壁面構造によって、天井面１０側へ流れる吹出し気流を防いで、天井面１０が冷やされて室内空気が結露し、粉塵が付着して天井面１０が汚れるというスマッジング現象を防止している。
【０００６】
【発明が解決しようとする課題】
上記のように従来の天井カセット型空気調和機の化粧パネルは、吹出し通路１５の壁面が、曲面部１６と垂直部１７により形成され、該壁面に沿って流れた吹出し気流７を前記垂直部１７に衝突させることにより、該気流方向を変え、天井面１０へ流れる吹出し気流を防いで、上記スマッジング現象を防止している。しかしながら、前記吹出し通路１５の曲面部１６に沿って流れる吹出し気流７が垂直部１７に衝突することにより、その垂直部１７が過度に冷却され、その熱伝導により吹出し口周辺部１８が冷却される。そして、吹出し口周辺部１８付近の圧力は吹出し気流７の圧力に比べて小さいため、天井面１０の暖かい空気が、矢印９のように、化粧パネル表面に沿って吹出し口周辺部１８付近に巻き込まれるように流れ、前記吹出し口周辺部１８の冷却面に接触することによって、結露および露付きが発生するという問題があった。これを防ぐ手段として、防露ヒータ（図示せず）を前記吹出し口周辺部１８付近の化粧パネルの裏側に設けて、結露および露付きを防ぐような方法を用いているが、コスト高となり、また、安全上の問題があった。
【０００７】
本発明は、上記のような問題点に鑑みてなされたもので、防露ヒータを不要とし、化粧パネルの吹出し口周辺部の結露および露付きを防止することのできる天井カセット型空気調和機の化粧パネルを得ることを目的とする。
【０００８】
【課題を解決するための手段】
本発明に係わる請求項１記載の天井カセット型空気調和機の化粧パネルは、天井カセット型空気調和機の本体の下面に取付けられ、天井面開口部を覆う化粧パネルであって、前記化粧パネルの吹出し口の吹出し通路壁面が、吹出し口の下方に向ってある曲率をなす曲面部と、この曲面部に続く平面部とから形成され、また、パネル表面が、前記平面部の端部から天井面の上方に向ってある曲率をなす曲面部と、この曲面部に続く前記化粧パネルの外縁部にかけての平面部から形成された化粧パネルとしたものである。
【００１１】
また、請求項２記載の天井カセット型空気調和機の化粧パネルは、天井カセット型空気調和機の本体の下面に取付けられ、天井面開口部を覆う化粧パネルであって、前記化粧パネルの吹出し口の吹出し通路壁面が、吹出し口の下方に向ってある曲率をなす曲面部と、前記曲面部に続く平面部とから形成され、また、パネル表面が、前記平面部の端部から天井面と水平をなす水平部と、前記水平部に続く天井面の上方に向ってある曲率をなす曲面部と、前記曲面部に続く前記化粧パネルの外縁部にかけての平面部により形成された化粧パネルとしたものである。
【００１２】
【発明の実施の形態】
実施の形態１．
本実施の形態に係る天井カセット型空気調和機の室内機の構成図は、図７と同様であるため、ここでの説明を省略する。
図１は、本実施の形態１における化粧パネルの吹出し口周辺部の要部拡大縦断面図である。尚、図１において、従来例図８の要部拡大縦断面図と同一または相当部分には同一符号を付し説明を省略する。
図１において、前記化粧パネル１１の吹出し通路１５の外側壁面が、前記吹出し口１２の下方に向ってある曲率をなす曲面部２１と、前記曲面部２１に続く平面部２２とから形成され、また、パネル表面が前記壁面の平面部２２の端部から天井面と垂直をなす垂直部２３と、前記垂直部２３に続く前記化粧パネル１１の外縁部にかけての平面部から形成され、前記垂直部２３の表面には熱伝導率の低い、例えばウレタンフォーム、ポリエチレンフォーム、発泡スチロールなどの断熱部材２４が貼り付け設けられている。
【００１３】
上記において、前記風向ベーン１４の例えば水平吹出し角度設定などにより吹出し方向が設定され、前記吹出し通路１５の前記曲面部２１および平面部２２により形成される壁面に沿って滑らかに流れる吹出し気流７は、前記平面部２２の端部（気流剥離点）２５で平面部２２から離れて吹出し口１２より室内空間へと吹出される。そして、吹出し気流７が前記曲面部２１および平面部２２により形成される壁面に沿って滑らかに流れることによって、該壁面近傍における吹出し気流７の流速が小さくなり、したがって壁面への熱伝達率が小さくなるため、壁面の冷却が低減される。
【００１４】
また、前記気流剥離点２５付近の圧力は、吹出し気流７の圧力に比べて小さくなるため、天井面１０の暖かい空気が、矢印９のように化粧パネル１１のパネル表面に沿って前記垂直部２３側に流れるが、前記断熱部材２４が設けられた垂直部２３に衝突して下方に流れる。これによって、天井面１０の暖気流の吹出し口周辺部冷却面への巻き込みを防止することができ、したがって、上記壁面の冷却低減と断熱部材２４が設けられた垂直部２３により、化粧パネル１１の吹出し口周辺部の結露および露付きが防止できる。
【００１５】
以上のように、本実施の形態においては、上記吹出し通路１５の外側壁面が前記曲面部２１と平面部２２により形成され、吹出し気流７が前記曲面部２１および平面部２２により形成される壁面に沿って滑らかに流れることによって、該壁面近傍における吹出し気流７の流速が小さくなり壁面への熱伝達率が小さくなるため、壁面の冷却が低減される。また、パネル表面が前記平面部２２の端部から天井面と垂直をなす断熱部材２４を設けた垂直部２３と、化粧パネル１１の外縁部にかけての平面部から形成され、天井面１０からの暖気流が前記パネル表面に沿って吹出し口側に流れた際に、前記断熱部材２４を設けた垂直部２３に衝突して下方に流れるようにしたので、暖気流の吹出し口周辺部冷却面への巻き込みを防止することができ、上記壁面の冷却低減と断熱部材２４を設けた垂直部２３により、化粧パネル１１の吹出し口周辺部の結露および露付きの防止ができるとともに、防露ヒータを不要とすることができる。
【００１６】
尚、上記の実施の形態においては、前記断熱部剤２４を垂直部２３の表面に設けるようにしたが、これに限定するものではなく、前記垂直部２３の部位に埋設するようにしてもよい。
【００１７】
実施の形態２．
本実施の形態に係る天井カセット型空気調和機の室内機の構成図は、図７と同様であるため、ここでの説明を省略する。
図２は、本実施の形態２における化粧パネルの吹出し口周辺部の要部拡大縦断面図である。尚、図２において、上記実施の形態１の図１と同一または相当部分には同一符号を付し説明を省略する。
図２において、３１は吹出し口１２内の前記吹出し通路１５の外側壁面を形成する前記平面部２２に続いて、天井面の上方に向ってある曲率を成して形成された曲面部で、３２は前記曲面部３１に続いて化粧パネル１１の外縁部にかけて形成された平面部であり、これら曲面部３１、平面部３２により化粧パネル１１のパネル表面が形成される。
【００１８】
上記において、前記風向ベーン１４の例えば水平吹出し角度設定などにより吹出し方向が設定され、前記吹出し通路１５の前記曲面部２１および平面部２２により形成される壁面に沿って滑らかに流れる吹出し気流７は、前記パネル表面の曲面部３１により下向きに気流方向を変えて、吹出し口１２より室内空間へと吹出される。そして、前記吹出し気流７が前記曲面部２１および平面部２２により形成される壁面に沿って滑らかに流れることによって、該壁面近傍における吹出し気流７の流速が小さくなり、したがって壁面への熱伝達率が小さくなるため、壁面の冷却が低減され、前記パネル表面の曲面部３１付近も吹出し気流７が下向きに方向が変ることによって冷却が低減される。
【００１９】
また、前記パネル表面の曲面部３１付近の圧力は、吹出し気流７の圧力に比べて小さくなるため、天井面１０の暖かい空気が、矢印９のように前記平面部３２のパネル表面を吹出し口周辺部側に流れるが、前記パネル表面の曲面部３１により下方に流れる。これによって、天井面１０の暖気流の吹出し口周辺部冷却面への巻き込みを防止することができ、したがって、上記壁面の冷却低減と曲面部３１による暖気流の吹出し口周辺部冷却面への巻き込み防止により、化粧パネル１１の吹出し口周辺部の結露および露付きが防止できる。
【００２０】
以上のように、本実施の形態においては、上記吹出し通路１５の外側壁面を前記曲面部２１と平面部２２により形成することにより、上記実施の形態１同様に壁面の冷却を低減し、また、天井面１０からの暖かい空気が、前記平面部３２のパネル表面を吹出し口周辺部側に流れた際に、パネル表面の前記曲面部３１により下方に流れるようにして、暖気流の吹出し口周辺部冷却面への巻き込みを防止するようにしたので、化粧パネルの吹出し口周辺部の結露および露付きの防止ができるとともに、防露ヒータを不要とすることができる。
【００２１】
実施の形態３．
本実施の形態に係る天井カセット型空気調和機の室内機の構成図は、図７と同様であるため、ここでの説明を省略する。
図３は、本実施の形態３における化粧パネルの吹出し口周辺部の要部拡大縦断面図である。尚、図３において、従来例図８の要部拡大縦断面図と同一または相当部分には同一符号を付し説明を省略する。
本実施の形態においては、上記従来例図８に示す壁面の前記垂直部１７の外側に熱伝導率の小さい、例えばウレタンフォーム、ポリエチレンフォーム、発泡スチロールなどの断熱部材４１を設けて、吹出し通路１５の前記曲面部１６に沿って流れる吹出し気流７が、前記垂直部１７に衝突した際に、前記垂直部１７に設けた前記断熱部材４１により、その周辺部が過度に冷却されるのを防止して、前述した天井面１０の暖かい空気が流れた際の結露および露付きを防止するようにしたものである。
【００２２】
上記において、前記風向ベーン１４の例えば水平吹出し角度設定などにより吹出し方向が設定され、前記吹出し通路１５の前記曲面部１６により形成される壁面に沿って流れる吹出し気流７は、前記垂直部１７に衝突し下向きに気流方向を変えて吹出し口１２より室内空間へ吹出される。その際、前記垂直部１７には断熱部材４１が設けられているため、前記断熱部材４１により過度の冷却を防止することができ、したがって吹出し口周辺部１８の冷却が低減される。また、前記吹出し口周辺部１８付近の圧力は、吹出し気流７の圧力に比べて小さくなるため、天井面１０の暖かい空気が、矢印９のように化粧パネル１１のパネル表面に沿って前記吹出し口周辺部１８側に流れるが、上記断熱部材４１によって吹出し口周辺部１８の冷却が低減されるため、その結果、吹出し口周辺部１８の結露および露付きを防止することができる。
【００２３】
以上のように、本実施の形態においては、吹出し通路１５の外側壁面を吹出し口１２の下方に向って曲面部１６と、前記曲面部１６に続く天井面と垂直をなす垂直部１７とから形成し、前記垂直部１７に断熱部材４１を設けたことにより、前記壁面の曲面部１６に沿って流れる吹出し気流７が前記垂直部１７に衝突した際の過度の冷却を防止することができ、したがって、吹出し口周辺部１８の冷却を低減することができるため、天井面１０からの暖かい空気がパネル表面に沿って前記吹出し口周辺部１８側に流れた際に、吹出し口周辺部１８の結露および露付きを防止することができるとともに、防露ヒータを不要とすることができる。
【００２４】
尚、上記実施の形態においては、前記断熱部材４１を垂直部１７の外側に設けるようにしたが、これに限定するものではなく、前記垂直部１７の部位に埋設するようにしてもよい。
【００２５】
実施の形態４．
本実施の形態に係る天井カセット型空気調和機の室内機の構成図は、図７と同様であるため、ここでの説明を省略する。
図４は、本実施の形態４における化粧パネルの吹出し口周辺部の要部拡大縦断面図である。尚、図４において、上記実施の形態１における図１と同一または相当部分には同一符号を付し説明を省略する。
図４において、５１は前記吹出し通路１５の外側壁面を形成する前記平面部２２に続く天井面と水平をなす水平部で、５２は前記水平部５１に続く天井面の上方に向ってある曲率をなして形成された曲面部で、５３は前記曲面部５２に続く化粧パネル１１の外縁部にかけて形成された平面部であり、これら水平部５１、曲面部５２および平面部５３により化粧パネル１１のパネル表面が形成される。
【００２６】
上記において、前記風向ベーン１４の例えば水平吹出し角度設定などにより吹出し方向が設定され、前記吹出し通路１５の前記曲面部２１および平面部２２により形成される壁面に沿って滑らかに流れる吹出し気流７は、前記パネル表面の水平部５１により下向きに気流方向を変えて、吹出し口１２より室内空間へと吹出される。そして、吹出し気流７が前記曲面部２１および平面部２２により形成される壁面に沿って滑らかに流れることによって、壁面近傍における吹出し気流７の流速が小さくなり、したがって壁面への熱伝達率が小さくなるため壁面の冷却が低減され、前記パネル表面の水平部５１付近も吹出し気流７が下向きに方向が変わることによって冷却が低減される。
【００２７】
また、前記パネル表面の水平部５１付近の圧力は、吹出し気流７の圧力に比べて小さくなるため、天井面１０の暖かい空気が、矢印９のように前記平面部５３、曲面部５２のパネル表面を前記水平部５１付近に向って流れるが、異なった形状のパネル表面を移動することで気流剥離が促進され、そして、前記パネル表面の水平部５１により下方に流れる。これによって、天井面１０の暖気流の吹出し口周辺部冷却面への巻き込みを防止することができ、したがって、吹出し口周辺部の冷却低減と水平部５１による吹出し口周辺部への暖気流の巻き込み防止によって、化粧パネル１１の吹出し口周辺部の結露および露付きが防止できる。
【００２８】
以上のように、本実施の形態においては、吹出し通路１５の外側壁面を曲面部２１と平面部２２により形成することにより、上記実施の形態１同様に壁面の冷却が低減される。また、天井面１０からの暖かい空気が、前記パネル表面を前記水平部５１付近に流れた際に、異なった形状のパネル表面を移動することで気流剥離を促進させ、そしてパネル表面の前記水平部５１により下方に流れるようにして、暖気流の吹出し口周辺部冷却面への巻き込みを防止するようにしたので、化粧パネルの吹出し口周辺部の結露および露付きの防止ができるとともに、防露ヒータを不要とすることができる。
【００２９】
また、図５は、上記実施の形態の変形例を示す、化粧パネルの吹出し口周辺部の要部拡大縦断面図である。尚、図５において、上記図４と同一または相当部分には同一符号を付し説明を省略する。
図５において、６１は前記水平部５１の端部から天井面と垂直をなす垂直部、６２は前記垂直部６１に続いて化粧パネル１１の外縁部にかけてある曲率を成して形成された曲面部であり、これら前記水平部５１、垂直部６１および曲面部６２によりパネル表面が形成される。
【００３０】
上記において、前記吹出し通路１５の前記曲面部２１および平面部２２により形成される壁面に沿って滑らかに流れる吹出し気流７は、前記パネル表面の水平部５１により下向きに気流方向を変えて、吹出し口１２より室内空間へと吹出される。そして、吹出し気流７が前記曲面部２１および平面部２２により形成される壁面に沿って滑らかに流れることによって、壁面近傍における吹出し気流７の流速が小さくなり、したがって壁面への熱伝達率が小さくなるため壁面の冷却が低減され、前記パネル表面の水平部５１付近も吹出し気流７が下向きに方向が変わることによって冷却が低減される。
【００３１】
また、前記パネル表面の水平部５１付近の圧力は、吹出し気流７の圧力に比べて小さくなるため、天井面１０の暖かい空気が、矢印９のように前記曲面部６２のパネル表面を前記水平部５１付近に向って流れるが、パネル表面の前記垂直部６１と水平部５１により下方に流れる。これによって、天井面１０の暖気流の吹出し口周辺部冷却面への巻き込みを防止することができ、上記実施の形態と同様の効果が得られるものである。
【００３２】
図６は、例えば上記実施の形態３における形状の化粧パネルと、従来の形状の化粧パネルを用いて室内機を運転した場合の吹出し口周辺部の露付き量の経時変化を示したものである。横軸が運転時間、縦軸が露付き量を表している。尚、露付き量は両者とも４方向吹出し口のうちの１つの吹出し口についての量を表しており、また、従来においては、化粧パネルに防露ヒータが設けてある場合であり、防露ヒータをＯＮ状態で運転したものである。図中、○印が上記実施の形態３における化粧パネルの場合で、▽印が従来の化粧パネルの場合である。
図６に示すように、防露ヒータのＯＮ状態での従来の吹出し口周辺部の露付き量は、運転開始４時間後で約０．１ｇ、１６時間後で約０．７ｇであり、一方、本発明の上記実施の形態３における露付き量は、１６時間後で約０．０４ｇとなり、本発明における露付き防止効果があることが示されている。
【００３３】
尚、上記実施の形態１〜４においては、４方向吹出しの天井カセット型空気調和機の室内機を例に示したが、これに限定するものではなく、２方向吹出し、あるいは１方向吹出しでもよい。
【００３４】
【発明の効果】
以上のように本発明に係る請求項１の天井カセット型空気調和機の化粧パネルは、前記化粧パネルの吹出し口の吹出し通路壁面が吹出し口の下方に向ってある曲率をなす曲面部と、この曲面部に続く平面部により形成され、また、パネル表面が前記平面部の端部から天井面の上方に向ってある曲率をなす曲面部と、この曲面部に続く前記化粧パネルの外縁部にかけての平面部から形成された化粧パネルとしたので、吹出し気流が前記曲面部および平面部により形成される壁面に沿って滑らかに流れることによって、該壁面近傍における吹出し気流の流速が小さくなり壁面への熱伝達率が小さくなるため、壁面の冷却を低減することができる。また、前記パネル表面を吹出し口付近に向って流れた天井面の暖気流を、前記パネル表面の曲面部で下方に流すようにしたので、暖気流の吹出し口周辺部冷却面への巻き込みを防ぐことができ、したがって、前記壁面の冷却低減と暖気流の吹出し口周辺部冷却面への巻き込み防止によって、化粧パネルの吹出し口周辺部の結露および露付きを防止することができるとともに、防露ヒーターを不要とすることができ、電力の省エネと安全性を高めることができる。
【００３７】
また、請求項２の天井カセット型空気調和機の化粧パネルは、上記吹出し通路壁面が吹出し口の下方に向ってある曲率をなす曲面部と、前記曲面部に続く平面部により形成され、また、パネル表面が前記平面部の端部から天井面と水平をなす水平部と、前記水平部に続く天井面の上方に向ってある曲率をなす曲面部と、前記曲面部に続く前記化粧パネルの外縁部にかけての平面部により形成された化粧パネルとしたので、吹出し気流が前記曲面部および平面部により形成される壁面に沿って滑らかに流れることによって、上記請求項１同様に壁面の冷却を低減することができる。また、前記パネル表面を吹出し口付近に向って流れた天井面の暖気流を、前記パネル表面の水平部で下方に流すようにしたので、暖気流の吹出し口周辺部冷却面への巻き込みを防ぐことができ、したがって、前記壁面の冷却低減と暖気流の吹出し口周辺部冷却面への巻き込み防止によって上記請求項１同様の効果が得られる。
【図面の簡単な説明】
【図１】  この発明の実施の形態１における天井カセット型空気調和機の化粧パネルの吹出し口周辺部の要部拡大縦断面図である。
【図２】  この発明の実施の形態２における天井カセット型空気調和機の化粧パネルの吹出し口周辺部の要部拡大縦断面図である。
【図３】  この発明の実施の形態３における天井カセット型空気調和機の化粧パネルの吹出し口周辺部の要部拡大縦断面図である。
【図４】  この発明の実施の形態４における天井カセット型空気調和機の化粧パネルの吹出し口周辺部の要部拡大縦断面図である。
【図５】  図４の変形例を示す化粧パネルの吹出し口周辺部の要部拡大縦断面図である。
【図６】  本発明の実施の形態３における化粧パネルと、従来の化粧パネルを用いて運転した場合の、吹出し口周辺部の露付き量の経時変化を表した図である。
【図７】  従来の天井カセツト型空気調和機の室内機構成を示す縦断面図である。
【図８】  図７における化粧パネルの吹出し口周辺部の要部拡大縦断面図である。
【符号の説明】
１  天井カセット型空気調和機の室内機本体、  ７  吹出し気流  １０  天井面、  １１  化粧パネル、  １２  吹出し口、  １４  風向ベーン、  １５  吹出し通路、  １６、２１  曲面部、  ２２  平面部、  ２３  垂直部、  ２４  断熱部材、  ３１  曲面部、  ３２  平面部、  ４１  断熱部材、  ５１  水平部、  ５２  曲面部、  ５３  平面部、  ６１  垂直部、  ６２曲面部。
【図１】
0003900950.tif 000002
【図２】
0003900950.tif 000003
【図３】
0003900950.tif 000004
【図４】
0003900950.tif 000005
【図５】
0003900950.tif 000006
【図６】
0003900950.tif 000007
【図７】
0003900950.tif 000008
【図８】
0003900950.tif 000009